(57)【要約】一分子で異なる色相変化をもたらす化合物の提供。  一般式（１）【化１】2017038987.tif 000045（一般式（１）中、Ｑ及びＱ１は、Ｃ（Ｒ）又はＮを示し、Ｒは、水素原子、ハロゲン原子、炭素数１〜６のアルキル基又はカルボキシル基を示すが、２つのＲが結合して環を形成してもよい。Ｒ１は、水素原子、ハロゲン原子、炭素数１〜６のアルキル基又はカルボキシル基を示すが、２つのＲ１が結合して環を形成してもよい。ｎは０〜３の数を示す。ｍは０〜３の数を示す。）で表されるジュロリジン構造を有する化合物。
2017038987.tif 000002
【特許請求の範囲】
【請求項１】
一般式（１）
【化１】
2017038987.tif 000039
（一般式（１）中、Ｑは、Ｃ（Ｒ）又はＮを示し、Ｑ１は、Ｃ（Ｒ１）又はＮを示し、Ｒは、水素原子、ハロゲン原子、炭素数１〜６のアルキル基又はカルボキシル基を示すが、２つのＲが結合して環を形成してもよい。Ｒ１は、水素原子、ハロゲン原子、炭素数１〜６のアルキル基又はカルボキシル基を示すが、２つのＲ１が結合して環を形成してもよい。ｎは０〜３の数を示す。ｍは０〜３の数を示す。）
で表されるジュロリジン構造を有する化合物。
【請求項２】
一般式（１）中、Ｑ及びＱ１が、Ｃ（Ｒ）及びＣ（Ｒ１）である請求項１記載の化合物。
【請求項３】
一般式（１）中、Ｑ及びＱ１が、Ｎである請求項１記載の化合物。
【請求項４】
一般式（２）
【化２】
2017038987.tif 000040
（一般式（２）中、Ｑ２及びＱ３は、Ｃ（Ｒ）又はＮを示し、Ｒは、水素原子、ハロゲン原子、炭素数１〜６のアルキル基又はカルボキシル基を示す。Ｒ２は、ハロゲン原子、炭素数１〜６のアルキル基又はカルボキシル基を示すが、２つのＲ２が結合して環を形成してもよい。Ｒ３は、ハロゲン原子、炭素数１〜６のアルキル基又はカルボキシル基を示すが、２つのＲ３が結合して環を形成してもよい。ｐは１〜３の数を示す。ｑは１〜３の数を示す。Ｒ４及びＲ５は、水素原子又は炭素数１〜６のアルキル基を示す。）
で表される化合物。
【請求項５】
一般式（２）中、Ｒ２及びＲ３がカルボキシル基である請求項４記載の化合物。
【請求項６】
一般式（２）中、２つのＲ２及び２つのＲ３が結合してベンゼン環を形成した請求項４記載の化合物。
【請求項７】
一般式（２’）
【化３】
2017038987.tif 000041
（一般式（２’）中、Ｑ２’及びＱ３’は、Ｃ（Ｒ’）又はＮを示し、Ｒ’は、水素原子、ハロゲン原子、炭素数１〜６のアルキル基又はカルボキシル基を示す。Ｒ２’は、水素原子、ハロゲン原子、炭素数１〜６のアルキル基又はカルボキシル基を示すが、２つのＲ２’が結合して環を形成してもよい。Ｒ３’は、水素原子、ハロゲン原子、炭素数１〜６のアルキル基又はカルボキシル基を示すが、２つのＲ３が結合して環を形成してもよい。ｐ’は０〜３の数を示す。ｑ’は０〜３の数を示す。Ｒ４’及びＲ５’は、水素原子又は炭素数６〜１２のアルキル基を示す。）
で表される化合物。
【請求項８】
一般式（３）
【化４】
2017038987.tif 000042
（一般式（３）中、Ｑ４及びＱ５は、Ｃ（Ｒ）又はＮを示し、Ｒは、水素原子、ハロゲン原子、炭素数１〜６のアルキル基又はカルボキシル基を示す。Ｒ６は、ハロゲン原子、炭素数１〜６のアルキル基又はカルボキシル基を示すが、２つのＲ６が結合して環を形成してもよい。Ｒ７は、ハロゲン原子、炭素数１〜６のアルキル基又はカルボキシル基を示すが、２つのＲ７が結合して環を形成してもよい。ｒは０〜３の数を示す。ｓは０〜３の数を示す。Ｒ８及びＲ９は、水素原子又は炭素数１〜６のアルキル基を示すか、又はＲ８もしくはＲ９が結合している窒素原子及びこの窒素原子と隣接するベンゼン環と共にジュロリジン構造となっていてもよい。）
で表される化合物を含有するフェノール類検出試薬。
【請求項９】
８−ヒドロキシジュロリジンと一般式（４）で表される化合物とを反応させ一般式（５）で表される化合物を得、
さらに、前記一般式（５）で表される化合物とヒドロキノンを縮合剤の存在下反応することを特徴とする、一般式（６）で表される化合物の製造方法。
【化５】
2017038987.tif 000043
（一般式（４）〜（６）中、Ｑは、Ｃ（Ｒ）又はＮを示し、Ｒは、水素原子、ハロゲン原子、炭素数１〜６のアルキル基又はカルボキシル基を示すが、２つのＲが結合して環を形成してもよい。ｎは０〜３の数を示す。）
【請求項１０】
一般式（７）で表される化合物と一般式（８）で表される化合物とを反応させ一般式（９）で表される化合物を得、
さらに、前記一般式（９）で表される化合物とヒドロキノンを縮合剤の存在下反応することを特徴とする、一般式（１０）で表される化合物の製造方法。
【化６】
2017038987.tif 000044
（一般式（７）〜（１０）中、Ｑ２は、Ｃ（Ｒ）又はＮを示し、Ｒは、水素原子、ハロゲン原子、炭素数１〜６のアルキル基又はカルボキシル基を示す。Ｒ２は、ハロゲン原子、炭素数１〜６のアルキル基又はカルボキシル基を示すが、２つのＲ２が結合して環を形成してもよい。ｐは１〜３の数を示す。Ｒ４は、水素原子又は炭素数１〜６のアルキル基を示す。）
【発明の詳細な説明】
【技術分野】
【０００１】
本発明は、ローダミン系色素化合物及びその製造方法に関する。
【背景技術】
【０００２】
蛍光を発する色素化合物として、ローダミンは各種誘導体が研究されてきた。ローダミン２分子が縮合した化合物として、アミノベンゾピラノキサンテン系色素化合物が知られている（特許文献１）。このアミノベンゾピラノキサンテン系化合物は、溶液の水素イオン濃度に応じて中性型、モノカチオン型、ジカチオン型の３つの分子構造をとり、各分子構造で吸収・発光特性が異なることが知られていた（非特許文献１）。
【先行技術文献】
【特許文献】
【０００３】
【特許文献１】米国特許第８１３４０１７号明細書
【非特許文献】
【０００４】
【非特許文献１】Shinichiro Kamino et al.、“A red-emissive aminobenzopyrano-xanthene dye: elucidation of fluorescence emission mechanisms in solution and in the aggregate state”、Physical Chemistry Chemical Physics、2013年、15、p. 2131-2140
【発明の概要】
【発明が解決しようとする課題】
【０００５】
しかしながら、モノカチオン型・ジカチオン型における吸収・発光特性の差が小さいため、色相の変化までははっきり分かりにくいという問題があった。
従って、本発明は、一分子で異なる色相変化をもたらす化合物を提供することを目的とする。
【課題を解決するための手段】
【０００６】
本願発明者らは、上記課題を解決するために鋭意研究を行った結果、下記の化合物が上述した課題を解決できることを見出し、本発明に想到するに至った。【０００７】
即ち、本発明は、次の発明を提供するものである。【０００８】
＜１＞
一般式（１）【０００９】
【化１】
2017038987.tif 000003
【００１０】
（一般式（１）中、Ｑは、Ｃ（Ｒ）又はＮを示し、Ｑ１は、Ｃ（Ｒ１）又はＮを示し、Ｒは、水素原子、ハロゲン原子、炭素数１〜６のアルキル基又はカルボキシル基を示すが、２つのＲが結合して環を形成してもよい。Ｒ１は、水素原子、ハロゲン原子、炭素数１〜６のアルキル基又はカルボキシル基を示すが、２つのＲ１が結合して環を形成してもよい。ｎは０〜３の数を示す。ｍは０〜３の数を示す。）
で表されるジュロリジン構造を有する化合物。【００１１】
＜２＞
一般式（１）中、Ｑ及びＱ１が、Ｃ（Ｒ）及びＣ（Ｒ１）である＜１＞記載の化合物。【００１２】
＜３＞
一般式（１）中、Ｑ及びＱ１が、Ｎである＜１＞記載の化合物。【００１３】
＜４＞
一般式（２）【００１４】
【化２】
2017038987.tif 000004
【００１５】
（一般式（２）中、Ｑ２及びＱ３は、Ｃ（Ｒ）又はＮを示し、Ｒは、水素原子、ハロゲン原子、炭素数１〜６のアルキル基又はカルボキシル基を示す。Ｒ２は、ハロゲン原子、炭素数１〜６のアルキル基又はカルボキシル基を示すが、２つのＲ２が結合して環を形成してもよい。Ｒ３は、ハロゲン原子、炭素数１〜６のアルキル基又はカルボキシル基を示すが、２つのＲ３が結合して環を形成してもよい。ｐは１〜３の数を示す。ｑは１〜３の数を示す。Ｒ４及びＲ５は、水素原子又は炭素数１〜６のアルキル基を示す。）
で表される化合物。【００１６】
＜５＞
一般式（２）中、Ｒ２及びＲ３がカルボキシル基である＜４＞記載の化合物。【００１７】
＜６＞
一般式（２）中、２つのＲ２及び２つのＲ３が結合してベンゼン環を形成した＜４＞記載の化合物。【００１８】
＜７＞
一般式（２’）【００１９】
【化３】
2017038987.tif 000005
【００２０】
（一般式（２’）中、Ｑ２’及びＱ３’は、Ｃ（Ｒ’）又はＮを示し、Ｒ’は、水素原子、ハロゲン原子、炭素数１〜６のアルキル基又はカルボキシル基を示す。Ｒ２’は、水素原子、ハロゲン原子、炭素数１〜６のアルキル基又はカルボキシル基を示すが、２つのＲ２’が結合して環を形成してもよい。Ｒ３’は、水素原子、ハロゲン原子、炭素数１〜６のアルキル基又はカルボキシル基を示すが、２つのＲ３が結合して環を形成してもよい。ｐ’は０〜３の数を示す。ｑ’は０〜３の数を示す。Ｒ４’及びＲ５’は、水素原子又は炭素数６〜１２のアルキル基を示す。）
で表される化合物。【００２１】
＜８＞
一般式（３）【００２２】
【化４】
2017038987.tif 000006
【００２３】
（一般式（３）中、Ｑ４及びＱ５は、Ｃ（Ｒ）又はＮを示し、Ｒは、水素原子、ハロゲン原子、炭素数１〜６のアルキル基又はカルボキシル基を示す。Ｒ６は、ハロゲン原子、炭素数１〜６のアルキル基又はカルボキシル基を示すが、２つのＲ６が結合して環を形成してもよい。Ｒ７は、ハロゲン原子、炭素数１〜６のアルキル基又はカルボキシル基を示すが、２つのＲ７が結合して環を形成してもよい。ｒは０〜３の数を示す。ｓは０〜３の数を示す。Ｒ８及びＲ９は、水素原子又は炭素数１〜６のアルキル基を示すか、又はＲ８もしくはＲ９が結合している窒素原子及びこの窒素原子と隣接するベンゼン環と共にジュロリジン構造となっていてもよい。）
で表される化合物を含有するフェノール類検出試薬。【００２４】
＜９＞
８−ヒドロキシジュロリジンと一般式（４）で表される化合物とを反応させ一般式（５）で表される化合物を得、
さらに、前記一般式（５）で表される化合物とヒドロキノンを縮合剤の存在下反応することを特徴とする、一般式（６）で表される化合物の製造方法。【００２５】
【化５】
2017038987.tif 000007
【００２６】
（一般式（４）〜（６）中、Ｑは、Ｃ（Ｒ）又はＮを示し、Ｒは、水素原子、ハロゲン原子、炭素数１〜６のアルキル基又はカルボキシル基を示すが、２つのＲが結合して環を形成してもよい。ｎは０〜３の数を示す。）【００２７】
＜１０＞
一般式（７）で表される化合物と一般式（８）で表される化合物とを反応させ一般式（９）で表される化合物を得、
さらに、前記一般式（９）で表される化合物とヒドロキノンを縮合剤の存在下反応することを特徴とする、一般式（１０）で表される化合物の製造方法。【００２８】
【化６】
2017038987.tif 000008
【００２９】
（一般式（７）〜（１０）中、Ｑ２は、Ｃ（Ｒ）又はＮを示し、Ｒは、水素原子、ハロゲン原子、炭素数１〜６のアルキル基又はカルボキシル基を示す。Ｒ２は、ハロゲン原子、炭素数１〜６のアルキル基又はカルボキシル基を示すが、２つのＲ２が結合して環を形成してもよい。ｐは１〜３の数を示す。Ｒ４は、水素原子又は炭素数１〜６のアルキル基を示す。）
【発明の効果】
【００３０】
本発明によれば、一分子で異なる色相変化をもたらす化合物が提供される。また、本発明の化合物は、検出試薬としても有用な新規化合物として期待される。
【図面の簡単な説明】
【００３１】
【図１】実施例１で得られた化合物の吸収スペクトルを表す図である。
【図２】実施例１で得られた化合物（ジカチオン型）の吸収スペクトル及び蛍光スペクトルを表す図である。
【図３】実施例２で得られた化合物の吸収スペクトルを表す図である。
【図４】実施例２で得られた化合物（ジカチオン型）の吸収スペクトル及び蛍光スペクトルを表す図である。
【図５】実施例１で得られた化合物とフェノール類との反応後の吸収スペクトルを表す図である。
【発明を実施するための形態】
【００３２】
以下、本発明を詳細に説明する。
【００３３】
本発明の化合物は、下記一般式（１）で表される。
【００３４】
【化７】
2017038987.tif 000009
【００３５】
一般式（１）中、Ｑは、Ｃ（Ｒ）又はＮを示し、Ｑ１は、Ｃ（Ｒ１）又はＮを示し、Ｒは、水素原子、ハロゲン原子、炭素数１〜６のアルキル基又はカルボキシル基を示すが、２つのＲが結合して環を形成してもよい。Ｒ１は、水素原子、ハロゲン原子、炭素数１〜６のアルキル基又はカルボキシル基を示すが、２つのＲ１が結合して環を形成してもよい。ｎは０〜３の数を示す。ｍは０〜３の数を示す。
【００３６】
一般式（１）のＲ及びＲ１のハロゲン原子としては、フッ素原子、塩素原子、臭素原子、ヨウ素原子等が挙げられる。また、炭素数１〜６のアルキル基としては、直鎖状でも分岐状でもよく、シクロアルキル基、ビシクロアルキル基も含まれる。具体的には、メチル基、エチル基、プロピル基、イソプロピル基、ｎ−ブチル基、イソブチル基、ｓ−ブチル基、ｔ−ブチル基、ペンチル基、ヘキシル基等が挙げられる。Ｒ又はＲ１が複数ある場合、それらは同一でも異なっていてもよい。
【００３７】
一般式（１）で表される化合物は、水素イオンの授受により、以下に示される、中性型、モノカチオン型、ジカチオン型の３つの構造をとり得る。
【化８】
2017038987.tif 000010
【００３８】
本発明において、一般式（１）で表される化合物には、これら３つの構造が含まれるものとする。
【００３９】
本発明の一般式（１）で表される化合物は、以下の方法により製造することができる。
すなわち、８−ヒドロキシジュロリジンと一般式（４）で表される化合物とを反応させ一般式（５）で表される化合物を得る。次に、前記一般式（５）で表される化合物とヒドロキノンを縮合剤の存在下反応する方法により製造することができる。
【００４０】
【化９】
2017038987.tif 000011
【００４１】
一般式（４）〜（６）中、Ｑは、Ｃ（Ｒ）又はＮを示し、Ｒは、水素原子、ハロゲン原子、炭素数１〜６のアルキル基又はカルボキシル基を示すが、２つのＲが結合して環を形成してもよい。ｎは０〜３の数を示す。
Ｒのハロゲン原子としては、フッ素原子、塩素原子、臭素原子、ヨウ素原子等が挙げられる。また、炭素数１〜６のアルキル基としては、上記一般式（１）のものと同様のものが挙げられ、Ｒが複数ある場合、それらは同一でも異なっていてもよい。
【００４２】
一般式（４）で表される化合物としては、具体的には以下のものが挙げられる。
【００４３】
【化１０】
2017038987.tif 000012
【００４４】
８−ヒドロキシジュロリジンと一般式（４）で表される化合物とをほぼ等モル量混合し、両化合物を溶解することができ、これらの化合物と反応しない溶媒下で還流することで、一般式（５）で表される化合物を得ることができる。
該溶媒としては、トルエン、キシレン、ベンゼン、ジクロロメタン、ジクロロエタン等が挙げられる。
また、この反応は、窒素ガスやアルゴンガス等の不活性雰囲気下で行うことが好ましい。
この反応時間は3〜15時間、より好ましくは5〜12時間程であり、反応終了後、反応生成物をシリカゲルクロマトグラフィー等で精製してもよい。
【００４５】
次に、ヒドロキノンと、ヒドロキノンに対して2〜3倍当量、好ましくは約2倍当量の一般式（５）で表される化合物を混合し、縮合剤の存在下反応する。ここで、縮合剤としては、特に限定されないが、硫酸、塩酸、リン酸、ポリリン酸、スルホン酸、メタンスルホン酸、トルエンスルホン酸、トリフルオロ酢酸、トリフルオロメタンスルホン酸、三塩化アルミニウム、塩化亜鉛、塩化ホスホリル等が挙げられる。
この反応温度は室温〜200℃程であり、室温〜150℃が好ましい。反応時間は反応温度にもよるが、通常10分〜3日間程であり、加熱する場合は特に3時間〜12時間が好ましい。反応終了後、反応液を中和し、精製し、一般式（６）で表される化合物を得ることができる。
ここで、一般式（６）で表される化合物は、一般式（１）で表される化合物を含むものである。すなわち、上記反応において、一般式（５）で表される化合物として、同種のものを用いてもよいが、異種のものを用いてもよく、同種のものを用いた場合一般式（６）のように表され、異種のものを用いた場合、一般式（１）のように表される化合物を得ることができる。
【００４６】
また、本発明は、下記一般式（２）で表される化合物をも提供する。
【００４７】
【化１１】
2017038987.tif 000013
【００４８】
一般式（２）中、Ｑ２及びＱ３は、Ｃ（Ｒ）又はＮを示し、Ｒは、水素原子、ハロゲン原子、炭素数１〜６のアルキル基又はカルボキシル基を示す。Ｒ２は、ハロゲン原子、炭素数１〜６のアルキル基又はカルボキシル基を示すが、２つのＲ２が結合して環を形成してもよい。Ｒ３は、ハロゲン原子、炭素数１〜６のアルキル基又はカルボキシル基を示すが、２つのＲ３が結合して環を形成してもよい。ｐは１〜３の数を示す。ｑは１〜３の数を示す。Ｒ４及びＲ５は、水素原子又は炭素数１〜６のアルキル基を示す。
【００４９】
一般式（２）のＲ、Ｒ２及びＲ３のハロゲン原子としては、フッ素原子、塩素原子、臭素原子、ヨウ素原子等が挙げられる。また、一般式（２）のＲ、Ｒ２、Ｒ３、Ｒ４及びＲ５の炭素数１〜６のアルキル基としては、直鎖状でも分岐状でもよく、シクロアルキル基、ビシクロアルキル基も含まれる。具体的には、メチル基、エチル基、プロピル基、イソプロピル基、ｎ−ブチル基、イソブチル基、ｓ−ブチル基、ｔ−ブチル基、ペンチル基、ヘキシル基等が挙げられる。
また、Ｒ、Ｒ２又はＲ３が複数ある場合、それらは互いに異なっていてもよく、２つのＲ４及び２つのＲ５も互いに同一でも異なっていてもよい。
【００５０】
一般式（２）で表される化合物は、水素イオンの授受により、以下に示される、中性型、モノカチオン型、ジカチオン型の３つの構造をとり得る。
【００５１】
【化１２】
2017038987.tif 000014
【００５２】
本発明において、一般式（２）で表される化合物には、これら３つの構造が含まれるものとする。
【００５３】
本発明の一般式（２）で表される化合物は、以下の方法により製造することができる。
すなわち、一般式（７）で表される化合物と一般式（８）で表される化合物とを反応させ一般式（９）で表される化合物を得る。次に、前記一般式（９）で表される化合物とヒドロキノンを縮合剤の存在下反応する方法により製造することができる。
【００５４】
【化１３】
2017038987.tif 000015
【００５５】
一般式（７）〜（１０）中、Ｑ２は、Ｃ（Ｒ）又はＮを示し、Ｒは、水素原子、ハロゲン原子、炭素数１〜６のアルキル基又はカルボキシル基を示す。Ｒ２は、ハロゲン原子、炭素数１〜６のアルキル基又はカルボキシル基を示すが、２つのＲ２が結合して環を形成してもよい。ｐは１〜３の数を示す。Ｒ４は、水素原子又は炭素数１〜６のアルキル基を示す。
Ｒ及びＲ２のハロゲン原子としては、フッ素原子、塩素原子、臭素原子、ヨウ素原子等が挙げられる。また、Ｒ、Ｒ２及びＲ４の炭素数１〜６のアルキル基としては、上記一般式（２）のものと同様のものが挙げられ、Ｒ又はＲ２が複数ある場合、これらは同一でも異なっていてもよい。
また、一般式（７）における２つのＲ４も互いに同一でも異なっていてもよいが、一般式（７）で表される化合物としては、２つのＲ４が、エチル基又はブチル基のものが特に好ましい。
一般式（８）で表される化合物としては、一般式（４）で表される化合物として例示したものと同様のものが挙げられる。
【００５６】
一般式（７）で表される化合物と一般式（８）で表される化合物とをほぼ等モル量混合し、両化合物を溶解することができ、これらの化合物と反応しない溶媒下で還流することで、一般式（９）で表される化合物を得ることができる。
該溶媒としては、トルエン、キシレン、ベンゼン、ジクロロメタン、ジクロロエタン等が挙げられる。
また、この反応は、窒素ガスやアルゴンガス等の不活性雰囲気下で行うことが好ましい。
この反応時間は5〜48時間、より好ましくは5〜12時間程であり、反応終了後、反応生成物をシリカゲルクロマトグラフィー等で精製してもよい。
【００５７】
次に、ヒドロキノンと、ヒドロキノンに対して2〜3倍当量、好ましくは約2倍当量の一般式（９）で表される化合物を混合し、縮合剤の存在下反応する。ここで、縮合剤としては、特に限定されないが、硫酸、塩酸、リン酸、ポリリン酸、スルホン酸、メタンスルホン酸、トルエンスルホン酸、トリフルオロ酢酸、トリフルオロメタンスルホン酸、三塩化アルミニウム、塩化亜鉛、塩化ホスホリル等が挙げられる。
この反応温度は室温〜200℃程であり、室温〜150℃が好ましい。反応時間は反応温度にもよるが、通常10分〜3日間程であり、加熱する場合は特に2〜20時間、より好ましくは3時間〜12時間である。反応終了後、反応液を中和し、精製し、一般式（１０）で表される化合物を得ることができる。
ここで、一般式（１０）で表される化合物は、一般式（２）で表される化合物を含むものである。すなわち、上記反応において、一般式（９）で表される化合物として、同種のものを用いてもよいが、異種のものを用いてもよく、同種のものを用いた場合一般式（１０）のように表され、異種のものを用いた場合、一般式（２）のように表される化合物を得ることができる。
【００５８】
また、本発明は、下記一般式（２’）で表される化合物をも提供する。
【００５９】
【化１４】
2017038987.tif 000016
【００６０】
一般式（２’）中、Ｑ２’及びＱ３’は、Ｃ（Ｒ’）又はＮを示し、Ｒ’は、水素原子、ハロゲン原子、炭素数１〜６のアルキル基又はカルボキシル基を示す。Ｒ２’は、水素原子、ハロゲン原子、炭素数１〜６のアルキル基又はカルボキシル基を示すが、２つのＲ２’が結合して環を形成してもよい。Ｒ３’は、水素原子、ハロゲン原子、炭素数１〜６のアルキル基又はカルボキシル基を示すが、２つのＲ３が結合して環を形成してもよい。ｐ’は０〜３の数を示す。ｑ’は０〜３の数を示す。Ｒ４’及びＲ５’は、水素原子又は炭素数６〜１２のアルキル基を示す。
【００６１】
Ｒ４’及びＲ５’のアルキル基としては、直鎖状でも分岐状でもよく、シクロアルキル基、ビシクロアルキル基も含まれる。具体的には、ヘキシル基、ヘプチル基、オクチル基、ノニル基、デシル基、ウンデシル基、ドデシル基等が挙げられる。
Ｒ’、Ｒ２’及びＲ３’の具体例は、一般式（２）におけるＲ、Ｒ２及びＲ３として例示したものと同様である。
【００６２】
一般式（２’）で表される化合物は、一般式（２）で表される化合物と同様に、中性型、モノカチオン型、ジカチオン型の３つの構造をとり得るものであり、本発明において、一般式（２’）で表される化合物は、これら３つの構造が含まれるものとする。
【００６３】
また、一般式（２’）で表される化合物は、一般式（２）で表される化合物の製造方法に準じて製造することができる。
【００６４】
さらに、本発明は一般式（３）で表される化合物を含有するフェノール類検出試薬を提供する。
【００６５】
【化１５】
2017038987.tif 000017
【００６６】
一般式（３）中、Ｑ４及びＱ５は、Ｃ（Ｒ）又はＮを示し、Ｒは、水素原子、ハロゲン原子、炭素数１〜６のアルキル基又はカルボキシル基を示す。Ｒ６は、ハロゲン原子、炭素数１〜６のアルキル基又はカルボキシル基を示すが、２つのＲ６が結合して環を形成してもよい。Ｒ７は、ハロゲン原子、炭素数１〜６のアルキル基又はカルボキシル基を示すが、２つのＲ７が結合して環を形成してもよい。ｒは０〜３の数を示す。ｓは０〜３の数を示す。Ｒ８及びＲ９は、水素原子又は炭素数１〜６のアルキル基を示すか、又はＲ８もしくはＲ９が結合している窒素原子及びこの窒素原子と隣接するベンゼン環と共にジュロリジン構造となっていてもよい。
【００６７】
フェノール類とは、芳香族置換基上にヒドロキシ基を有する化合物をいい、具体的には例えば以下の化合物が挙げられる。
１価フェノール：フェノール、クレゾール、ナフトール
２価フェノール：カテコール、レゾルシノール、ヒドロキノン
３価フェノール：ピロガロール、フロログルシノール
【００６８】
一般式（３）で表される化合物とフェノール類が接触すると、一般式（３）で表される化合物のラクトン環が開環し、異なる吸収波長を有する構造へ変化する。フェノール類の濃度に応じて本発明の一般式（３）で表される化合物は二段階で構造が変化するため、多段階のフェノール類の検出試薬として有用である。
【実施例】
【００６９】
以下、実施例及び比較例を挙げて、本願発明をさらに詳細に説明するが、本願発明は下記の例に制限されるものではない。【００７０】
１Ｈ−ＮＭＲは、JNM-AL400（日本電子社製）またはJNM-AL300（日本電子社製）用いて測定した。
吸収スペクトルは、JASCO V-670（日本分光社製）を用いて測定した。
蛍光スペクトルは、JASCO FP-6600（日本分光社製）を用いて測定した。
ＭＳスペクトルは、micrOTOF-QIII（Bruker Daltonics社製）またはUltraflex（Bruker Daltonics社製）を用いて測定した。【００７１】
［実施例１］
9-(2-カルボキシベンゾイル)-8-ヒドロキシジュロリジン（化合物(5-1), 3.00 mmol, 文献: Kamino et al., Org. Lett., 2014, 16, 258. 記載の手法により合成）及びヒドロキノン（1.50 mmol, 東京化成工業株式会社より購入）の混合物を硫酸（3 mL）に加え、二日間室温で撹拌後、反応液を水酸化ナトリウム水溶液で中和し、不溶物を濾取した。不溶物をクロロホルムに溶かし、シリカゲルクロマトグラフィーにて精製を行い、化合物(6-1-1)及び(6-1-2)を薄桃色固体として得た。この際に化合物(6-1-1)が先に流出し、その後化合物(6-1-2)が流出した。収率は(6-1-1)と(6-1-2)合わせて8%であった。反応式は以下に示す。【００７２】
【化１６】
2017038987.tif 000018
【００７３】
化合物(6-1-1)のデータ: 
400 MHz 1H-NMR (CDCl3/TMS) δ (ppm): 8.06 (2H, d), 7.69 (4H, m), 7.24 (2H, d), 6.64 (2H, s), 6.12 (2H, s), 3.13 (8H, m), 2.80 (4H, m), 2.52 (4H, m), 1.97 (4H, m), 1.86 (4H, m).
IR (ATR, cm-1): 1748, 1620, 1423, 1309, 1192, 1096, 862.
UV/Vis: λmax = 676 nm (ジカチオン型、10体積% CF3COOH/CHCl3).
HRMS (ESI) m/z calcd. for C46H37N2O6([M+H]+): 713.2646, found: 713.2691.【００７４】
化合物(6-1-2)のデータ: 
400 MHz 1H-NMR (CDCl3/TMS) δ (ppm): 8.05 (2H, d), 7.64 (4H, m), 7.16 (2H, d), 6.70 (2H, s), 6.15 (2H, s), 3.11 (8H, m), 2.80 (4H, m), 2.51 (4H, m), 1.95 (4H, m), 1.85 (4H, m).
IR (ATR, cm-1): 1749, 1621, 1425, 1310, 1192, 1097, 861.
UV/Vis: λmax = 676 nm (ジカチオン型、10体積% CF3COOH/CHCl3).
HRMS (ESI) m/z calcd. for C46H37N2O6([M+H]+): 713.2646, found: 713.2690.【００７５】
実施例１で得られた化合物をクロロホルムに溶解し、吸収スペクトルを測定した（中性型）。次いで、この中性型の溶液に、0.01体積％となるようにトリフルオロ酢酸を加え、同様に吸収スペクトルを測定した（モノカチオン型）。さらに、このモノカチオン型の溶液に、0.2体積％となるようにトリフルオロ酢酸を加え、同様に吸収スペクトルを測定した（ジカチオン型）。
各構造の吸収スペクトルを図１に示す。【００７６】
中性型では無色の溶液であったのに対し、モノカチオン型では桃色、ジカチオン型では青緑色に呈色し、モノカチオン型及びジカチオン型の溶液で色相が異なった。【００７７】
次に、実施例１で得られた化合物の10体積％トリフルオロ酢酸／クロロホルム溶液（ジカチオン型）を用いて蛍光スペクトルを測定した。結果を図２に示す。【００７８】
実施例１で得られた化合物の0.2体積％のトリフルオロ酢酸／クロロホルム溶液を濃度が0.04 mmol/Lとなるように調製して、その吸収スペクトルを測定した。
［比較例１］
実施例１で得られた化合物の代わりに、既報（米国特許第3663571号明細書）に従い合成した下記化合物を用いた以外は同様の条件で吸収スペクトルを測定した。【００７９】
【化１７】
2017038987.tif 000019
【００８０】
実施例１及び比較例１それぞれの極大吸収波長における吸光度の測定結果を表１にまとめる。表１より、同濃度の酸に対して、実施例１の化合物は、比較例１の化合物に比べ約１６０倍感度が高いことがわかった。【００８１】
【表１】
2017038987.tif 000020
【００８２】
［実施例２］
窒素雰囲気下で、8-ヒドロキシジュロリジン（3.00 mmol, 和光純薬株式会社より購入）と3,4,5,6-テトラフルオロフタル酸無水物（化合物(4-2), 3.00 mmol, 和光純薬株式会社より購入）の混合物をトルエン（10 mL）に加え、5時間撹拌しながら加熱還流した。反応液を室温に戻した後、ヘキサンを加えて不溶物を濾取した。不溶物をクロロホルムに溶かし、シリカゲルクロマトグラフィーにて精製を行い、化合物(5-2)を淡緑色固体として得た。収率は63%であった。反応式は以下に示す。【００８３】
【化１８】
2017038987.tif 000021
【００８４】
化合物(5-2)のデータ: 
400 MHz 1H-NMR (CDCl3/TMS) δ (ppm): 12.28 (1H, s), 6.49 (1H, s), 3.28 (4H, t), 2.71 (2H, t), 2.55 (2H, t), 1.92 (4H, m).
HRMS (ESI) m/z calcd. for C20H14F4NO4([M-H]-): 408.0864, found: 408.0884.【００８５】
9-(2-カルボキシ-3,4,5,6-テトラフルオロベンゾイル)-8-ヒドロキシジュロリジン（化合物(5-2), 0.22 mmol）及びヒドロキノン（0.10 mmol, 東京化成工業株式会社より購入）の混合物を硫酸（0.3 mL）に加え、4時間135℃で撹拌後、反応液を水酸化ナトリウム水溶液で中和し、不溶物を濾取した。不溶物をクロロホルムに溶かし、シリカゲルクロマトグラフィーにて精製を行い、化合物(6-2)を無色固体として得た。収率は2%であった。反応式は以下に示す。【００８６】
【化１９】
2017038987.tif 000022
【００８７】
化合物(6-2)のデータ: 
UV/Vis: λmax= 688 nm (ジカチオン型、10体積% CF3COOH/CHCl3).
HRMS (ESI) m/z calcd. for C46H29F8N2O6([M+H]+): 857.1892, found: 857.1896.【００８８】
実施例２で得られた化合物をクロロホルムに溶解し、吸収スペクトルを測定した（中性型）。次いで、この中性型の溶液に、0.01体積％となるようにトリフルオロ酢酸を加え、同様に吸収スペクトルを測定した（モノカチオン型）。さらに、このモノカチオン型の溶液に、2体積％となるようにトリフルオロ酢酸を加え、同様に吸収スペクトルを測定した（ジカチオン型）。
各構造の吸収スペクトルを図３に示す。【００８９】
中性型では無色の溶液であったのに対し、モノカチオン型では桃色、ジカチオン型では青緑色に呈色し、モノカチオン型及びジカチオン型の溶液で色相が異なった。【００９０】
実施例２で得られた化合物の10体積％トリフルオロ酢酸／クロロホルム中での吸収スペクトル及び蛍光スペクトルを測定した。結果を図４に示す。【００９１】
［実施例３］
窒素雰囲気下で、8-ヒドロキシジュロリジン（2.00 mmol, 和光純薬株式会社より購入）と4-メチルフタル酸無水物（化合物(4-3), 3.00 mmol, 東京化成工業株式会社より購入）の混合物をトルエン（10 mL）に加え、12時間撹拌しながら加熱還流した。反応液を室温に戻した後、ヘキサンを加えて不溶物を濾取した。不溶物をクロロホルムに溶かし、シリカゲルクロマトグラフィーにて精製を行い、化合物(5-3)を茶色固体として得た。収率は34%であった。反応式は以下に示す。【００９２】
【化２０】
2017038987.tif 000023
【００９３】
化合物(5-3)のデータ: 
HRMS (ESI) m/z calcd. for C21H20NO4([M-H]-): 350.1397, found: 350.1398.【００９４】
9-(2-カルボキシ-4-メチルベンゾイル)-8-ヒドロキシジュロリジン及び9-(2-カルボキシ-5-メチルベンゾイル)-8-ヒドロキシジュロリジンの混合物（化合物(5-3), 0.5 mmol）並びにヒドロキノン（0.25 mmol, 東京化成工業株式会社より購入）を硫酸（3 mL）に加え、室温で三日間撹拌した。反応液を水酸化ナトリウム水溶液で中和し、不溶物を濾取した。不溶物をクロロホルムに溶かし、シリカゲルクロマトグラフィーにて精製を行い、化合物(6-3)を薄桃色固体として得た。収率は3%であった。反応式は以下に示す。【００９５】
【化２１】
2017038987.tif 000024
【００９６】
化合物(6-3)のデータ: 
UV/Vis: λmax = 675 nm (ジカチオン型、10体積% CF3COOH/CHCl3).
HRMS (ESI) m/z calcd. for C48H41N2O6([M+H]+): 741.2959, found: 741.3003【００９７】
［実施例４］
窒素雰囲気下で、8-ヒドロキシジュロリジン（3.00 mmol, 和光純薬株式会社より購入）と3,4,5,6-テトラクロロフタル酸無水物（化合物(4-4), 3.61 mmol, 和光純薬株式会社より購入）の混合物をトルエン（10 mL）に加え、3時間撹拌しながら加熱還流した。反応液を室温に戻した後、ヘキサンを加えて不溶物を濾取した。不溶物をクロロホルムに溶かし、シリカゲルクロマトグラフィーにて精製を行い、化合物(5-4)を黄色固体として得た。収率は40%であった。反応式は以下に示す。【００９８】
【化２２】
2017038987.tif 000025
【００９９】
化合物(5-4)のデータ: 
500 MHz 1H-NMR (CDCl3/TMS) δ (ppm): 12.33 (1H, s), 6.46 (1H, s), 3.28 (4H, t), 2.69 (2H, t), 2.54 (2H, t), 1.91 (4H, m).【０１００】
9-(2-カルボキシ-3,4,5,6-テトラクロロベンゾイル)-8-ヒドロキシジュロリジン（化合物(5-4), 1.0 mmol）及びヒドロキノン（0.50 mmol, 東京化成工業株式会社より購入）の混合物を硫酸（1.5 mL）に加え、3日間室温で撹拌後、反応液を炭酸カリウム水溶液で中和し、不溶物を濾取した。不溶物をクロロホルムに溶かし、シリカゲルクロマトグラフィーにて精製を行い、化合物(6-4)を無色固体として得た。収率は5%であった。反応式は以下に示す。【０１０１】
【化２３】
2017038987.tif 000026
【０１０２】
化合物(6-4)のデータ: 
UV/Vis: λmax= 687 nm (ジカチオン型、5体積% CH3SO3H/MeOH).
MS (MALDI) m/z calcd. for C46H28Cl8N2O6([M]+): 987.9397, found: 988.【０１０３】
［実施例５］
2-(4-ジエチルアミノ-2-ヒドロキシベンゾイル)-4-メチル-安息香酸及び2-(4-ジエチルアミノ-2-ヒドロキシベンゾイル)-5-メチル-安息香酸の混合物（化合物(9-5), 0.562 mmol, 文献: WO2014/002292記載の手法により合成）並びにヒドロキノン（0.280 mmol, 東京化成工業株式会社より購入）を硫酸（1.84 mL）に加え、4.5時間110℃で撹拌後、反応液を水酸化ナトリウム水溶液で中和し、不溶物を濾取した。不溶物をクロロホルムに溶かし、シリカゲルクロマトグラフィーにて精製を行い、化合物(10-5)を薄青色固体として得た。収率は7%であった。反応式は以下に示す。【０１０４】
【化２４】
2017038987.tif 000027
【０１０５】
化合物(10-5)のデータ: 
UV/Vis: λmax = 659 nm (ジカチオン型、10体積% CF3COOH/CHCl3).
HRMS (ESI) m/z calcd. for C46H37N2O6([M+H]+): 693.2959, found: 693.2978.【０１０６】
［実施例６］
窒素雰囲気下で、N,N-ジブチル-m-アミノフェノール（化合物(7-6), 3.0 mmol, 和光純薬株式会社より購入）と4-メチルフタル酸無水物（化合物(8-6), 3.0 mmol, 和光純薬株式会社より購入）の混合物をトルエン（2.4 mL）に加え、22 時間撹拌しながら加熱還流した。反応液を室温に戻した後、反応液に水酸化ナトリウム水溶液とクロロホルムを加え分液した。分離した水層を塩酸で酸性にした後、クロロホルムで抽出した。有機層を無水硫酸ナトリウムで乾燥後、減圧下でクロロホルムを留去し、赤色固体粗生成物を得た。シリカゲルクロマトグラフィーにて精製を行い、化合物(9-6)を臙脂色飴状物として得た。収率は18%であった。反応式は以下に示す。 【０１０７】
【化２５】
2017038987.tif 000028
【０１０８】
化合物(9-6)のデータ: 
HRMS (ESI) m/z calcd. for C23H28NO4 ([M-H]-): 382.2018, found: 382.2048. 【０１０９】
2-(4-(ジブチルアミノ)-2-ヒドロキシベンゾイル)-4-メチル安息香酸及び2-(4-(ジブチルアミノ)-2-ヒドロキシベンゾイル)-5-メチル安息香酸の混合物（(9-6), 0.106 mmol）並びにヒドロキノン（0.053 mmol, 東京化成工業株式会社より購入）の混合物をメタンスルホン酸（0.35 mL）に加え、110℃で19 時間撹拌後、反応液を水酸化ナトリウム水溶液で中和し、クロロホルムで抽出した。有機層を無水硫酸ナトリウムで乾燥後、減圧下溶媒を留去して、焦茶色飴状の粗生成物を得た。シリカゲルクロマトグラフィー、次いでサイズ排除クロマトグラフィーにて精製を行い、化合物(10-6)を茶色固体として得た。収率は8%であった。反応式は以下に示す。 【０１１０】
【化２６】
2017038987.tif 000029
【０１１１】
化合物(10-6)のデータ: 
UV/Vis: λmax = 666 nm (ジカチオン型、CH3SO3H/CHCl3).
MS (MALDI) m/z calcd. for C52H58N2O6 ([M+2H]+): 806.4295, found: 806.【０１１２】
［実施例７］
窒素雰囲気下で、N,N-ジエチル-m-アミノフェノール（化合物(7-7), 10.0 mmol, 和光純薬株式会社より購入）と4-tert-ブチルフタル酸無水物（化合物(8-7), 10.0 mmol, 東京化成工業株式会社より購入）の混合物をトルエン（20 mL）に加え、48 時間撹拌しながら加熱還流した。反応液を室温に戻した後、減圧下でトルエンを留去し、紫色固体粗生成物を得た。シリカゲルクロマトグラフィーにて精製を行い、化合物(9-7)を黄色固体として得た。収率は23%であった。反応式は以下に示す。【０１１３】
【化２７】
2017038987.tif 000030
【０１１４】
化合物(9-7)のデータ: 
MS (ESI) m/z calcd. for C22H26NO4 ([M-H]-): 368.1862, found: 368.【０１１５】
2-(4-(ジエチルアミノ)-2-ヒドロキシベンゾイル)-4-tert-ブチル安息香酸及び2-(4-(ジエチルアミノ)-2-ヒドロキシベンゾイル)-5-tert-ブチル安息香酸の混合物（化合物(9-7), 0.5 mmol）並びにヒドロキノン（0.25 mmol, 東京化成工業株式会社より購入）の混合物をメタンスルホン酸（1.00 mL）に加え、室温で24時間攪拌後、110℃で3時間撹拌した。反応液を水酸化ナトリウム水溶液で中和し、クロロホルムで抽出した。有機層を無水硫酸ナトリウムで乾燥後、減圧下溶媒を留去して、紫色飴状の粗生成物を得た。シリカゲルクロマトグラフィー、次いでサイズ排除クロマトグラフィーにて精製を行い、化合物(10-7)を無色固体として得た。収率は21%であった。反応式は以下に示す。【０１１６】
【化２８】
2017038987.tif 000031
【０１１７】
化合物(10-7)のデータ: 
UV/Vis: λmax= 659 nm (ジカチオン型、10 体積% CF3COOH/CHCl3)．
HRMS (ESI) m/z calcd. for C50H53N2O6 ([M+H]+): 777.3904, found: 777.3902.【０１１８】
［実施例８］
窒素雰囲気下で、N,N-ジブチル-m-アミノフェノール（化合物(7-8), 4.0 mmol, 東京化成工業株式会社より購入）と4-ブロモフタル酸無水物（化合物(8-8), 4.8 mmol, 和光純薬株式会社より購入）の混合物をトルエン（4.0 mL）に加え、12 時間撹拌しながら加熱還流した。反応液を室温に戻した後、減圧下でトルエンを留去し、赤色油状粗生成物を得た。シリカゲルクロマトグラフィーにて精製を行い、化合物(9-8)を黄色泡状物として得た。収率は26%であった。反応式は以下に示す。【０１１９】
【化２９】
2017038987.tif 000032
【０１２０】
化合物(9-8)のデータ: 
HRMS (ESI) m/z calcd. for C22H25BrNO4 ([M-H]-): 446.0967, found: 446.0966.【０１２１】
2-(4-(ジブチルアミノ)-2-ヒドロキシベンゾイル)-4-ブロモ安息香酸及び2-(4-(ジブチルアミノ)-2-ヒドロキシベンゾイル)-5-ブロモ安息香酸の混合物（化合物(9-8), 1.04 mmol）並びにヒドロキノン（0.50 mmol, 東京化成工業株式会社より購入）の混合物を硫酸（2.00 mL）に加え、110℃で2時間撹拌した。反応液を水酸化ナトリウム水溶液で中和し、クロロホルムで抽出した。有機層を無水硫酸ナトリウムで乾燥後、減圧下溶媒を留去して、紫色固体の粗生成物を得た。シリカゲルクロマトグラフィー、次いでサイズ排除クロマトグラフィーにて精製を行い、化合物(10-8)を無色固体として得た。収率は14%であった。反応式は以下に示す。【０１２２】
【化３０】
2017038987.tif 000033
【０１２３】
化合物(10-8)のデータ: 
UV/Vis: λmax= 669 nm (ジカチオン型、10 体積% CF3COOH/CHCl3)．
MS (MALDI) m/z calcd. for C50H52Br2N2O6([M+2H]+): 936.2192, found: 936.【０１２４】
［実施例９］
窒素雰囲気下で、N,N-ジヘキシル-m-アミノフェノール（化合物(7-9), 2.6 mmol）とフタル酸無水物（化合物(8-9), 2.6 mmol, 和光純薬株式会社より購入）の混合物をトルエン（2.6 mL）に加え、19 時間撹拌しながら加熱還流した。反応液を室温に戻した後、減圧下で溶媒を留去し、赤紫色飴状粗生成物を得た。シリカゲルクロマトグラフィーにて精製を行い、化合物(9-9)を緑褐色飴状物として得た。収率は90%であった。反応式は以下に示す。 【０１２５】
【化３１】
2017038987.tif 000034
【０１２６】
化合物(9-9)のデータ: 
400 MHz 1H-NMR (CDCl3/TMS) δ (ppm): 12.55(1H, s), 8.11(1H, d, J = 7.5 Hz), 7.62(1H, m), 7.54(1H, m), 7.37(1H, d, J = 7.5 Hz), 6.88(1H, d, J = 9.0 Hz), 6.11(1H, d, J = 2.1 Hz), 6.02(1H, dd, J = 9.0, 2.4 Hz), 3.28(4H, t, J = 7.9 Hz), 1.59(4H, bs), 1.30(12H, m), 0.89(6H, t, J = 6.6 Hz).
MS (MALDI) m/z calcd. for C26H34NO4 ([M-H]-): 424.2488, Found 424.2.【０１２７】
2-(4-(ジヘキシルアミノ)-2-ヒドロキシベンゾイル安息香酸（化合物(9-9), 9.02 mmol）及びヒドロキノン（4.56 mmol, 和光純薬株式会社より購入）の混合物をメタンスルホン酸（17 mL）に加え、100℃で4 時間撹拌後、反応液を水酸化ナトリウム水溶液で中和し、クロロホルムで抽出した。有機層を無水硫酸ナトリウムで乾燥後、減圧下溶媒を留去して、黒緑色飴状の粗生成物を得た。シリカゲルクロマトグラフィー、次いでサイズ排除クロマトグラフィーにて精製を行い、化合物(10-9)を淡紅色固体として得た。収率は15%であった。反応式は以下に示す。【０１２８】
【化３２】
2017038987.tif 000035
【０１２９】
化合物(10-9)のデータ: 
UV/Vis: λmax= 669 nm (ジカチオン型、10 体積% CF3COOH/CHCl3).
MS (MALDI) m/z calcd. for C58H70N2O6 ([M+2]+): 890.5234, Found 890.7.【０１３０】
［実施例１０］
実施例１で得られた化合物5.0 mgに、0.03 mgのカテコールを乳鉢でよく混ぜたところ、混合物は赤桃色に呈色した。この混合物に0.12 mgのカテコールを加えたところ、混合物は紫色に呈色した。さらに、この混合物に1.3 mgのカテコールを加えたところ、混合物は緑色に呈色した。
本発明の化合物は、フェノール類との重量比に応じて、固体状態において異なる色に呈色することがわかった。【０１３１】
［実施例１１］
実施例１で得られた化合物を0.2 mg/Lとなるようにクロロホルムに溶解し、この溶液に0.3 mol/Lとなるようにカテコールを加えたところ、溶液は緑色に呈色した。また、同様に、1.0 mol/Lとなるようにp-クレゾールを加えたところ、溶液は緑色に呈色した。各溶液の吸収スペクトルを図５に示す。
本発明の化合物は、溶液状態においてもフェノール類に応答し呈色することがわかった。【０１３２】
［参考例１］
実施例２において、3,4,5,6-テトラフルオロフタル酸無水物の代わりに2,3-ナフタレンジカルボン酸無水物を用いた以外は同様にして下記化合物(5-1’)を得た。【０１３３】
【化３３】
2017038987.tif 000036
【０１３４】
化合物(5-1’)のデータ: 
300 MHz 1H-NMR ((CD3)2CO/TMS) δ(ppm): 13.01 (1H, s), 8.64 (1H, s), 8.15 (1H, m), 8.04 (1H, m), 7.88 (1H, s), 7.70 (2H, m), 6.66 (1H, s), 3.28 (4H, t), 2.66 (2H, t), 2.43 (2H, t), 1.86 (4H, m).
HRMS (ESI) m/z calcd. for C24H20NO4 ([M-H]-): 386.1398, found: 386.1394.【０１３５】
［参考例２］
実施例２において、3,4,5,6-テトラフルオロフタル酸無水物の代わりに2,3-ピリジンジカルボン酸無水物を用いた以外は同様にして下記化合物(5-2’)を得た。【０１３６】
【化３４】
2017038987.tif 000037
【０１３７】
化合物(5-2’)のデータ: 
HRMS (ESI) m/z calcd. for C19H17N2O4 ([M-H]-): 337.1194, found: 337.1186.【０１３８】
［参考例３］
実施例２において、3,4,5,6-テトラフルオロフタル酸無水物の代わりにトリメリット酸無水物を用いた以外は同様にして下記化合物(5-3’)を得た。【０１３９】
【化３５】
2017038987.tif 000038
【０１４０】
化合物(5-3’)のデータ: 
HRMS (ESI) m/z calcd. for C21H18NO6 ([M-H]-): 380.1140, found: 380.1126.【０１４１】
上記参考例１〜３で得られた化合物(5-1’)〜(5-3’)は、それぞれヒドロキノンと反応させることで、本発明の化合物を得ることができる。
【産業上の利用可能性】
【０１４２】
本発明の化合物は、一分子で異なる色相変化をもたらす化合物として、着色料や染色剤としての各種色素材料、フェノール類の検出試薬等の化合物の指示薬や診断薬、蛍光イメージング色素、色素増感型太陽電池等様々な分野に有用な化合物として期待される。
【図１】
2017038987.tif 000046
【図２】
2017038987.tif 000047
【図３】
2017038987.tif 000048
【図４】
2017038987.tif 000049
【図５】
2017038987.tif 000050
【国際調査報告】
2017038987.tif 000051
2017038987.tif 000052
2017038987.tif 000053
2017038987.tif 000054